【手続補正書】
【提出日】平成18年7月12日(2006.7.12)
【手続補正１】
【補正対象書類名】明細書
【補正対象項目名】特許請求の範囲
【補正方法】変更
【補正の内容】
【特許請求の範囲】
【請求項１】
画像データを記憶可能な保存ボックスが生成される１または２以上の画像保存手段と、
前記各保存ボックスについて、その所在情報と識別情報とを対応付けて記憶した管理手段と、
ユーザから前記識別情報で保存ボックスの指定を受け付け、対応する所在情報に基づいて、前記保存ボックスにアクセスする１または２以上のアクセス手段と
をネットワーク上に分散配置した
ことを特徴とする画像処理システム。
【請求項２】
画像データを記憶可能な保存ボックスが生成される１または２以上の画像保存手段と、
前記各保存ボックスについて、その所在情報と識別情報と所有者を表わすユーザ識別情報とを対応付けて記憶した管理手段と、
ユーザから前記ユーザ識別情報と前記識別情報とで保存ボックスの指定を受け付け、対応する所在情報に基づいて、前記保存ボックスにアクセスする１または２以上のアクセス手段と
をネットワーク上に分散配置した
ことを特徴とする画像処理システム。
【請求項３】
画像データを記憶可能な保存ボックスが生成される１または２以上の画像保存手段と、
原稿画像を読み取るスキャナ機能と、原稿画像を読み取ってその複製画像を記録紙上に形成するコピー機能と、印刷データに対応する画像を記録紙上に形成するプリンタ機能と、原稿画像を送受信するファクシミリ機能と、画像データを転送する転送機能のいずれか１つ以上の機能を有するとともに、
前記保存ボックスへのアクセスを含む所定のジョブを実行するアクセス手段と
を備えた１または２以上の画像処理装置と、
前記各保存ボックスについて、その所在情報と識別情報とを対応付けて記憶した管理手段と、
をネットワーク上に分散配置し、
前記画像処理装置のアクセス手段は、ユーザからジョブの実行にかかわる保存ボックスの指定を前記識別情報で受け付け、対応する所在情報に基づいて、該指定された保存ボックスにアクセスする
ことを特徴とする画像処理システム。
【請求項４】
画像データを記憶可能な保存ボックスが生成される１または２以上の画像保存手段と、
原稿画像を読み取るスキャナ機能と、原稿画像を読み取ってその複製画像を記録紙上に形成するコピー機能と、印刷データに対応する画像を記録紙上に形成するプリンタ機能と、原稿画像を送受信するファクシミリ機能と、画像データを転送する転送機能のいずれか１つ以上の機能を有するとともに、
前記保存ボックスへのアクセスを含む所定のジョブを実行するアクセス手段と
を備えた１または２以上の画像処理装置と、
前記各保存ボックスについて、その所在情報と識別情報と所有者を表わすユーザ識別情報とを対応付けて記憶した管理手段と、
をネットワーク上に分散配置し、
前記画像処理装置のアクセス手段は、ユーザからジョブの実行にかかわる保存ボックスの指定を前記ユーザ識別情報と前記識別情報とで受け付け、対応する所在情報に基づいて、該指定された保存ボックスにアクセスする
ことを特徴とする画像処理システム。
【請求項５】
前記アクセス手段は、前記ユーザ識別情報と所定の認証情報とによるユーザ認証に成功した場合にのみ、そのユーザ識別情報に対応付けられた保存ボックスへのアクセスを許可する
ことを特徴とする請求項２または４に記載の画像処理システム。
【請求項６】
前記画像処理装置のいずれか１つは、前記管理手段を有する
ことを特徴とする請求項３または４に記載の画像処理システム。
【請求項７】
前記管理手段は、前記画像保存手段を有する
ことを特徴とする請求項３または４に記載の画像処理システム。
【請求項８】
前記画像処理装置は、前記画像保存手段を有する
ことを特徴とする請求項３または４に記載の画像処理システム。
【請求項９】
前記管理手段は、前記保存ボックスに係る情報を、当該管理装置に登録されているアクセス手段または画像処理装置に配信する
ことを特徴とする請求項１ないし８のいずれか１つに記載の画像処理システム。
【請求項１０】
前記保存ボックスに係る情報は、前記各保存ボックスと、前記所在情報ならびに前記識別情報とが対応付けられたものである
ことを特徴とする請求項９に記載の画像処理システム。
【請求項１１】
前記保存ボックスに係る情報は、さらに前記ユーザ識別情報とが対応付けられたものである
ことを特徴とする請求項１０に記載の画像処理システム。
【請求項１２】
前記保存ボックスに係る情報は、前記画像処理装置内に保存される
ことを特徴とする請求項３ないし１１のいずれか１つに記載の画像処理システム。
【請求項１３】
前記画像処理装置は、さらに表示操作部を有し、
該表示操作部は、ユーザによる前記識別情報の入力を受け付けるとともに、
該識別情報に対応する前記保存ボックスを表示する
ことを特徴とする請求項３または４に記載の画像処理システム。
【請求項１４】
前記表示操作部は、該表示操作部に表示された前記保存ボックスの中から、ユーザによる指定を受け付けるとともに、
該指定に応じて、前記アクセス手段は前記指定された保存ボックスにアクセスする
ことを特徴とする請求項１３に記載の画像処理システム。
【手続補正２】
【補正対象書類名】明細書
【補正対象項目名】０００９
【補正方法】変更
【補正の内容】
【０００９】
請求項１にかかわる発明は、画像データを記憶可能な保存ボックス（７０）が生成される１または２以上の画像保存手段（２９）と、
前記各保存ボックス（７０）について、その所在情報と識別情報とを対応付けて記憶した管理手段（５０）と、
ユーザから前記識別情報で保存ボックス（７０）の指定を受け付け、対応する所在情報に基づいて、前記保存ボックス（７０）にアクセスする１または２以上のアクセス手段（３１）と
をネットワーク上に分散配置した
ことを特徴とする画像処理システムである。
【手続補正３】
【補正対象書類名】明細書
【補正対象項目名】００１０
【補正方法】変更
【補正の内容】
【００１０】
上記発明によれば、保存ボックス（７０）はネットワーク上に分散配置された画像保存手段（２９）に生成されており、管理手段（５０）は各保存ボックス（７０）がどの画像保存手段（２９）に生成されているかを示す所在情報を一括管理して把握している。アクセス手段（３１）は、ユーザから識別情報で保存ボックス（７０）の指定を受け付けると、対応する所在情報に基づいて、指定された保存ボックス（７０）にアクセスして画像データの入出力処理などを行なう。
【手続補正４】
【補正対象書類名】明細書
【補正対象項目名】００１２
【補正方法】変更
【補正の内容】
【００１２】
請求項２にかかわる発明は、画像データを記憶可能な保存ボックス（７０）が生成される１または２以上の画像保存手段（２９）と、
前記各保存ボックス（７０）について、その所在情報と識別情報と所有者を表わすユーザ識別情報とを対応付けて記憶した管理手段（５０）と、
ユーザから前記ユーザ識別情報と前記識別情報とで保存ボックス（７０）の指定を受け付け、対応する所在情報に基づいて、前記保存ボックスにアクセスする１または２以上のアクセス手段（３１）と
をネットワーク上に分散配置した
ことを特徴とする画像処理システムである。
【手続補正５】
【補正対象書類名】明細書
【補正対象項目名】００１５
【補正方法】変更
【補正の内容】
【００１５】
請求項３にかかわる発明は、画像データを記憶可能な保存ボックス（７０）が生成される１または２以上の画像保存手段（２９）と、
原稿画像を読み取るスキャナ機能と、原稿画像を読み取ってその複製画像を記録紙上に形成するコピー機能と、印刷データに対応する画像を記録紙上に形成するプリンタ機能と、原稿画像を送受信するファクシミリ機能と、画像データを転送する転送機能のいずれか１つ以上の機能を有するとともに、
前記保存ボックス（７０）へのアクセスを含む所定のジョブを実行するアクセス手段（３１）と
を備えた１または２以上の画像処理装置（２０）と、
前記各保存ボックス（７０）について、その所在情報と識別情報とを対応付けて記憶した管理手段（５０）と、
をネットワーク上に分散配置し、
前記画像処理装置（２０）のアクセス手段（３１）は、ユーザからジョブの実行にかかわる保存ボックス（７０）の指定を前記識別情報で受け付け、対応する所在情報に基づいて、該指定された保存ボックス（７０）にアクセスする
ことを特徴とする画像処理システムである。
【手続補正６】
【補正対象書類名】明細書
【補正対象項目名】００１６
【補正方法】変更
【補正の内容】
【００１６】
上記発明によれば、ネットワーク上に分散配置された画像処理装置（２０）の画像保存手段（２９）に保存ボックス（７０）を作成し、各保存ボックス（７０）がどの画像処理装置（２０）の画像保存手段（２９）に生成されているかを示す所在情報を管理手段（５０）で一括管理する。画像処理装置（２０）のアクセス手段（３１）は、保存ボックス（７０）へのアクセスを含むジョブの実行に際して、アクセス対象となる保存ボックス（７０）の指定をユーザから識別情報で受け付け、対応する所在情報に基づいて、指定された保存ボックス（７０）のある画像処理装置（２０）にアクセスする。
【手続補正７】
【補正対象書類名】明細書
【補正対象項目名】００１８
【補正方法】変更
【補正の内容】
【００１８】
請求項４にかかわる発明は、画像データを記憶可能な保存ボックス（７０）が生成される１または２以上の画像保存手段（２９）と、
原稿画像を読み取るスキャナ機能と、原稿画像を読み取ってその複製画像を記録紙上に形成するコピー機能と、印刷データに対応する画像を記録紙上に形成するプリンタ機能と、原稿画像を送受信するファクシミリ機能と、画像データを転送する転送機能のいずれか１つ以上の機能を有するとともに、
前記保存ボックス（７０）へのアクセスを含む所定のジョブを実行するアクセス手段（３１）と
を備えた１または２以上の画像処理装置と、
前記各保存ボックス（７０）について、その所在情報と識別情報と所有者を表わすユーザ識別情報とを対応付けて記憶した管理手段（５０）と、
をネットワーク上に分散配置し、
前記画像処理装置（２０）のアクセス手段（３１）は、ユーザからジョブの実行にかかわる保存ボックス（７０）の指定を前記ユーザ識別情報と前記識別情報とで受け付け、対応する所在情報に基づいて、該指定された保存ボックス（７０）にアクセスする
ことを特徴とする画像処理システムである。
【手続補正８】
【補正対象書類名】明細書
【補正対象項目名】００１９
【補正方法】変更
【補正の内容】
【００１９】
上記発明によれば、保存ボックス（７０）はネットワーク上に分散配置された画像処理装置（２０）に生成され、管理手段（５０）は各保存ボックス（７０）がどの画像処理装置（２０）に生成されているかを示す所在情報と各保存ボックス（７０）の所有者が誰であるかを表わすユーザ識別情報とを一括管理する。アクセス手段（３１）は、ユーザからユーザ識別情報と識別情報とで保存ボックス（７０）の指定を受け付けると、対応する所在情報に基づいて、指定された保存ボックス（７０）のある画像処理装置（２０）にアクセスして画像データの入出力処理などを行なう。
【手続補正９】
【補正対象書類名】明細書
【補正対象項目名】００２３
【補正方法】変更
【補正の内容】
【００２３】
請求項６にかかわる発明は、前記画像処理装置（２０）のいずれか１つは、前記管理手段（５０）を有する
ことを特徴とする請求項３または４に記載の画像処理システムである。
【手続補正１０】
【補正対象書類名】明細書
【補正対象項目名】００２５
【補正方法】変更
【補正の内容】
【００２５】
請求項７にかかわる発明は、前記管理手段（５０）は、前記画像保存手段（２９）を有する
ことを特徴とする請求項３または４に記載の画像処理システムである。
【手続補正１１】
【補正対象書類名】明細書
【補正対象項目名】００２７
【補正方法】変更
【補正の内容】
【００２７】
請求項８にかかわる発明は、前記画像処理装置（２０）は、前記画像保存手段（２９）を有する
ことを特徴とする請求項３または４に記載の画像処理システムである。
【手続補正１２】
【補正対象書類名】明細書
【補正対象項目名】００２８
【補正方法】変更
【補正の内容】
【００２８】
上記発明によれば、画像処理装置（２０）に保存ボックス（７０）が生成される。
【手続補正１３】
【補正対象書類名】明細書
【補正対象項目名】００２９
【補正方法】変更
【補正の内容】
【００２９】
請求項９にかかわる発明は、前記管理手段（５０）は、前記保存ボックス（７０）に係る情報を、当該管理装置（５０）に登録されているアクセス手段（３１）または画像処理装置（２０）に配信する
ことを特徴とする請求項１ないし８のいずれか１つに記載の画像処理システムである。
【手続補正１４】
【補正対象書類名】明細書
【補正対象項目名】００３０
【補正方法】変更
【補正の内容】
【００３０】
上記発明によれば、アクセス手段（３１）は、予め管理手段（５０）から配信された情報に基づいて保存ボックス（７０）の所在が分かるので、その都度、管理手段（５０）に問い合わせる場合に比べて、ユーザの入力操作に対するレスポンスが早くなり、高い操作性が確保される。
請求項１０にかかわる発明は、前記保存ボックス（７０）に係る情報は、前記各保存ボックス（７０）と、前記所在情報ならびに前記識別情報とが対応付けられたものである
ことを特徴とする請求項９に記載の画像処理システムである。
請求項１１に係わる発明は、前記保存ボックス（７０）に係る情報は、さらに前記ユーザ識別情報とが対応付けられたものである
ことを特徴とする請求項１０に記載の画像処理システムである。
請求項１２にかかわる発明は、前記保存ボックス（７０）に係る情報は、前記画像処理装置（２０）内に保存される
ことを特徴とする請求項３ないし１１のいずれか１つに記載の画像処理システムである。
請求項１３にかかわる発明は、前記画像処理装置（２０）は、さらに表示操作部（２６）を有し、
該表示操作部（２６）は、ユーザによる前記識別情報の入力を受け付けるとともに、
該識別情報に対応する前記保存ボックスを表示する
ことを特徴とする請求項３または４に記載の画像処理システムである。
請求項１４にかかわる発明は、前記表示操作部（２６）は、該表示操作部（２６）に表示された前記保存ボックスの中から、ユーザによる指定を受け付けるとともに、
該指定に応じて、前記アクセス手段（３１）は前記指定された保存ボックス（７０）にアクセスする
ことを特徴とする請求項１３に記載の画像処理システムである。
【手続補正１５】
【補正対象書類名】明細書
【補正対象項目名】００８０
【補正方法】変更
【補正の内容】
【００８０】
【発明の効果】
本発明に係る画像処理システムによれば、各保存ボックスのネットワーク上での所在を管理手段で一括管理し、アクセス手段は、ユーザから識別情報で指定した保存ボックスに、対応する所在情報に基づいてアクセスするので、ユーザはネットワーク上での所在を知らなくても目的の保存ボックスにアクセスすることができ、各ユーザが画像処理システムの全体の資源を有効活用することができる。